(57)【要約】【課題】熟練を要することなく綺麗にブローやカール癖付けできるヘアーブラシを提供すること。【解決手段】多数の毛１０が立設されたブラシ基台１と、握り手部２とが連設されて成るヘアーブラシであって、握り手部２に、ブラシ長手方向に延びる毛髪押え部材３の全体又は大部分、及びこれをブラシ長手方向に進退させる移動手段４が位置するように設けると共に、移動手段４による毛髪押え部材３の進退域を、上記の如く毛髪押え部材３が握り手部２に位置する「後退位置」と毛髪押え部材３の先端がブラシ基台１上の先端部付近に至る「前進位置」との間とし、毛髪押え部材３の前進位置では、ブラシ基台１上にある毛髪は当該ブラシ基台１と毛髪押え部材３とで挟み込まれる。【選択図】　図４
2004073716.tif 000002
【特許請求の範囲】
【請求項１】
多数の毛１０が立設されたブラシ基台１と、握り手部２とが連設されて成るヘアーブラシであって、握り手部２に、ブラシ長手方向に延びる毛髪押え部材３の全体又は大部分、及びこれをブラシ長手方向に進退させる移動手段４が位置するように設けると共に、移動手段４による毛髪押え部材３の進退域を、上記の如く毛髪押え部材３が握り手部２に位置する「後退位置」と毛髪押え部材３の先端がブラシ基台１上の先端部付近に至る「前進位置」との間とし、毛髪押え部材３の前進位置では、ブラシ基台１上にある毛髪は当該ブラシ基台１と毛髪押え部材３とで挟み込まれることを特徴とするヘアーブラシ。
【請求項２】
多数の毛１０が立設されたブラシ基台１と、中空の握り手部２とが連設されて成るヘアーブラシであって、握り手部２の中空部分に、ブラシ長手方向に延びる毛髪押え部材３の全体又は大部分、及びこれをブラシ長手方向に進退させる移動手段４を収容させると共に、移動手段４による毛髪押え部材３の進退域を、上記の如く毛髪押え部材３が握り手部２の中空部分に収容された「後退位置」と毛髪押え部材３の先端がブラシ基台１上の先端部付近に至る「前進位置」との間とし、毛髪押え部材３の前進位置では、ブラシ基台１上にある毛髪は当該ブラシ基台１と毛髪押え部材３とで挟み込まれることを特徴とするヘアーブラシ。
【請求項３】
ブラシ基台１における毛髪押え部材３の進路上には、毛１０が立設されていないことを特徴とする請求項１又は２記載のヘアーブラシ。
【請求項４】
ブラシ基台１の先端側部には、前進位置にある毛髪押え部材３の先端部が支持される止着部１１を設けてあることを特徴とする請求項１乃至３のいずれかに記載のヘアーブラシ。
【請求項５】
毛１０はブラシ基台１に植設されていることを特徴とすることを特徴とする請求項１乃至４のいずれかに記載のヘアーブラシ。
【請求項６】
毛髪押え部材３は、一本以上設けられていることを特徴とする請求項１乃至５のいずれかに記載のヘアーブラシ。
【請求項７】
毛１０は、硬質毛又は／及び毛束であることを特徴とする請求項１乃至６のいずれかに記載のヘアーブラシ。
【発明の詳細な説明】
【０００１】
【発明の属する技術分野】
この発明は、ヘアーブラシ、特に、熟練を要することなく綺麗にブローやカール癖付けできるヘアーブラシに関するものである。
【０００２】
【従来の技術】
ヘアーブラシを使用して毛髪をカール癖付けする場合、通常、毛が立設されているブラシ基台に毛髪を巻き付け、この状態を維持したままでヘアードライヤーからの温風を吹き付けるようにする。
【０００３】
しかしながら、従来のヘアーブラシでは、上記部分に強く毛髪を巻き付けたとしても、毛髪とブラシ基台及び毛との間で滑りが生じ、徐々に毛髪がブラシ基台から離れてしまうという現象が生じる。
【０００４】
したがって、従来のヘアーブラシでは、かなり慣れないと綺麗にカール癖付けできないという問題があった。
【０００５】
同様に従来のへアーブラシではブローをする場合においてもかなりの慣れが必要である。
【０００６】
近年、男女を問わず、熟練を要することなく綺麗にブローやカール癖付けできるヘアーブラシが開発され、市場に出回ることを待ち望んでいる。
【０００７】
なお、毛が立設されたブラシ基台に握り手部が連設されて成るヘアーブラシにおいて前記握り手部に押え板を揺動自在に取り付け、ブラシ基台上に載せた毛髪に対して押え板を上下に揺動させて挟み込む形式のものが知られているが、このものではヘアーブラシに必要とする毛髪を載せようとするときヘアーブラシの斜め横の上に押え板があるので必要としない毛髪まで押え板にからみ使い勝手が悪く、やはり熟練を要する。
【０００８】
【発明が解決しようとする課題】
そこで、この発明では、熟練を要することなく綺麗にブローやカール癖付けできるヘアーブラシを提供することを課題とする。
【０００９】
【課題を解決するための手段】
（請求項１記載の発明）
この発明は、多数の毛１０が立設されたブラシ基台１と、握り手部２とが連設されて成るヘアーブラシであって、握り手部２に、ブラシ長手方向に延びる毛髪押え部材３の全体又は大部分、及びこれをブラシ長手方向に進退させる移動手段４が位置するように設けると共に、移動手段４による毛髪押え部材３の進退域を、上記の如く毛髪押え部材３が握り手部２に位置する「後退位置」と毛髪押え部材３の先端がブラシ基台１上の先端部付近に至る「前進位置」との間とし、毛髪押え部材３の前進位置では、ブラシ基台１上にある毛髪は当該ブラシ基台１と毛髪押え部材３とで挟み込まれる。
（請求項２記載の発明）
この発明は、多数の毛１０が立設されたブラシ基台１と、中空の握り手部２とが連設されて成るヘアーブラシであって、握り手部２の中空部分に、ブラシ長手方向に延びる毛髪押え部材３の全体又は大部分、及びこれをブラシ長手方向に進退させる移動手段４を収容させると共に、移動手段４による毛髪押え部材３の進退域を、上記の如く毛髪押え部材３が握り手部２の中空部分に収容された「後退位置」と毛髪押え部材３の先端がブラシ基台１上の先端部付近に至る「前進位置」との間とし、毛髪押え部材３の前進位置では、ブラシ基台１上にある毛髪は当該ブラシ基台１と毛髪押え部材３とで挟み込まれる。
（請求項３記載の発明）
この発明は、上記請求項１又は２記載の発明に関し、ブラシ基台１における毛髪押え部材３の進路上には、毛１０が立設されていないものとしてある。
（請求項４記載の発明）
この発明は、上記請求項１乃至３のいずれかに記載の発明に関して、ブラシ基台１の先端側部には、前進位置にある毛髪押え部材３の先端部が支持される止着部１１を設けてある。
（請求項５記載の発明）
この発明は、上記請求項１乃至４のいずれかに記載の発明に関し、毛１０はブラシ基台１に植設されている。
（請求項６記載の発明）
この発明は、上記請求項１乃至５のいずれかに記載の発明に関し、毛髪押え部材３は、一本以上設けられている。
（請求項７記載の発明）
この発明は、上記請求項１乃至６のいずれかに記載の発明に関し、毛１０は、硬質毛又は／及び毛束である。
【００１０】
なお、上記ヘヤーブラシの機能については、以下の発明の実施の形態の欄で明らかにする。
【００１１】
【発明の実施の形態】
以下、この発明を実施例として示した図面に従って説明する。
〔実施形態１〕
図１はこの発明の実施形態のヘアーブラシＨＢの外観斜視図、図２は前記ヘアーブラシＨＢの部分断面図、図３及び図４は前記ヘアーブラシＨＢの側断面図である。
【００１２】
この実施形態のヘアーブラシＨＢは、図１や図３に示すように、多数の毛１０を有するブラシ基台１と、中空の握り手部２とが連設されて成る。
【００１３】
ブラシ基台１は、図１に示すように、緩やかな断面円弧状に形成された基板１ａの膨らみ面に多数の硬質の毛１０を立設してあり、前記毛１０はブラシ長手方向に延びる態様で幅方向に４列で配置してある。よって、このヘヤーブラシＨＢでは、ブラシ長手方向に延びる三本の隙間部１２から成る通路が形成されている。
【００１４】
また、このブラシ基台１の先端側部には、図１や図４に示すように、磁石によって形成された止着部１１を設けてある。
【００１５】
握り手部２は、図３や図４に示すように全体が中空に形成されており、その中空部分には、ブラシ長手方向に延びる三本の毛髪押え部材３の大部分、及びこれを前記長さ方向に進退させる移動手段４を収容してある。なお、移動手段４による毛髪押え部材３の進退域は、図３や図４に示すように、上記の如く毛髪押え部材３が握り手部２の中空部分に収容された「後退位置」と毛髪押え部材３の先端がブラシ基台１上の先端部付近に至る「前進位置」との間としてある。
【００１６】
毛髪押え部材３は、図３や図４に示すように、最大径から最小径まで４本のパイプ３ａ，３ｂ，３ｃ，３ｄを嵌め込むと共に前記最小径のパイプ３ｄに磁性金属から成る拡大径部３０を有した軸部３１を嵌め込んだ状態とし、前記パイプ３ａ，３ｂ，３ｃ，３ｄ相互及びパイプ３ｄと軸部３１相互をそれぞれ相対移動可能に且つ抜け止め状態にして構成してある（伸び縮みするアンテナのような構成）。なお、三本の毛髪押え部材３は、図２に示すように上記した三本の隙間部１２で形成される通路を移動するように、毛髪押え部材３の先端は隙間部１２と対向させてある。
【００１７】
移動手段４は、図２〜図４に示すように、公知の回転−直進変換モータ４０（一般的なモータでは出力軸が回転するが、この回転−直進変換モータ４０では出力軸４１は直進する）と、前記回転−直進変換モータ４０の駆動源となる乾電池４２と、出力軸４１の後端に取り付けられた板材４３を介して当該出力軸４１と同時に進退する二本の軸体４４とから構成されている。なお、このヘアーブラシＨＢでは握り手部２におけるブラシ基台１の連設付近には回転−直進変換モータ４０及び乾電池４２と電気的接続状態にある切り換え用のスイッチ５が配置されており、前記スイッチ５における前部を押すと出力軸４１が前進、後部を押すと出力軸４１が後退、押し込み力を除くと出力軸４１が停止するように回転−直進変換モータ４０が駆動・停止するようになっている。
【００１８】
ここで、図には示されていないが、三本の毛髪押え部材３の最大径のパイプ３ａは全て握り手部２の構成壁に対して動かないように固定されており、また、中央部の軸部３１の後端と出力軸４１の前端、及び左右の軸部３１の後端と二本の軸体４４の前端とは、それぞれ連結されている。
【００１９】
したがって、スイッチ５の前部を押すと出力軸４１及び二本の軸体４４は前進し、これに伴い三本の毛髪押え部材３は図４に示す如く伸長してその先端部である拡大径部３０は上記した「前進位置」に至って止着部１１に磁着支持される。また、スイッチ５の後部を押すと出力軸４１及び二本の軸体４４は後退し、これに伴い三本の毛髪押え部材３は図３に示す如く縮短して拡大径部３０は上記した「後退位置」に至る。そして、スイッチ５の押し込み力を除くと、三本の毛髪押え部材３は停止状態になる。
【００２０】
上記したヘアーブラシＨＢを使用して所望のヘヤースタイルを施術する場合、以下の要領で行う。
Ａ．カール癖付けする場合
▲１▼．毛髪を毛１０でとくようにして毛髪の根元側を基板１ａに載せてヘアーブラシＨＢを毛髪の中間部に移動させる（図５参照）。
▲２▼．前記状態を維持しながら、スイッチ５の前部を押して三本の毛髪押え部材３を「前進位置」に移動させ、毛髪押え部材３とブラシ基台１を構成する基板１ａにより毛髪を挟み込む。
▲３▼．ヘアーブラシＨＢをこれの長手方向を軸心としてカールを作りたいところまでブラシを移動して回転させ、ブラシ基台１に毛髪を巻き付けていく。この作業において、毛髪は毛髪押え部材３とブラシ基台１を構成する基板１ａにより滑ることなくしっかりと保持されているから、毛髪がヘアーブラシＨＢに対してほとんど滑らず、毛髪がブラシ基台１を構成する基板１ａから浮き上がるようことはほとんどない。
▲４▼．この状態を維持しながら、ドライヤーからの温風を吹き付ける。
▲５▼．スイッチ５の後部を押して三本の毛髪押え部材３を「後退位置」に移動させる。この状態では、毛髪は、毛髪押え部材３と基板１ａにより挟み込まれていないので、ヘヤーブラシＨＢは毛髪から簡単に外れる。
Ｂ．ブローする場合
▲１▼．毛髪を毛１０でとくようにして毛髪の根元側を基板１ａに載せる。
▲２▼．スイッチ５の前部を押して三本の毛髪押え部材３を「前進位置」に移動させ、毛髪押え部材３と基板１ａにより毛髪の根元側を挟み込ませる（図５参照）。▲３▼．ヘアーブラシＨＢで毛髪を引っ張るようにして毛先側へ移動させながらドライヤーの温風を吹き付ける。この作業では、毛髪は、毛髪押え部材３とブラシ基台１を構成する基板１ａにより挟み込まれて滑りにくくなっているので、強いテンションが毛髪にかかり容易にブローできる。
▲４▼．毛髪押え部材３と基板１ａの間から毛髪の先端部が抜けると、スイッチ５の後部を押して三本の毛髪押え部材３を「後退位置」に移動させる。
Ｃ．ブローやカール癖付けするときの基本的な効果
上述したように、このヘアーブラシＨＢを使用した場合、従来の技術の欄で記載したような現象、つまり毛髪が基板１ａから離れてしまうという現象が生じないので、熟練を要することなく綺麗にブローやカール癖付けができる。
【００２１】
また、このヘアーブラシＨＢでは、毛髪押え部材３を基板１ａに対して平行に伸長（実施形態２、３では移動）させ、その先端部を「前進位置」に至らしめてているから、従来の技術の欄の後半部分に記載したヘヤーブラシのような使い勝手の悪さは存在しない。
〔実施形態２〕
図６はこの発明の実施形態２のヘアーブラシＨＢの外観斜視図、図７、図８は前記ヘアーブラシＨＢの側断面図である。
【００２２】
この実施形態のヘアーブラシＨＢでは、図６〜図８に示すように、スライド操作部６の前方・後方への操作によりレバー６０を介して握り手部２内のブラケット２１に軸支されたレージートング６１を伸長・縮短させ、当該レージートング６１の先端部に取り付けられた三本の毛髪押え部材３を同時に図８に示すように「前進位置」に移動させ、又は図７に示すように「後退位置」に移動させるようにしている。
【００２３】
ここで、この実施形態の毛髪押え部材３は上記実施形態１とは相違し、伸縮しない１本の棒体であり、その先端部に磁性金属から成る拡大径部３０を設けたものとしてある。
【００２４】
また、このヘアーブラシＨＢにおいて、実施形態１の毛髪押え部材３を動かす移動手段４に相当する構成は、スライド操作部６、レバー６０及びレージートング６１であり、駆動源は人力である。
【００２５】
さらに、レージートング６１の自重による垂れ下がりがあったとしても、毛髪押え部材３の移動軌跡ができるだけ一定となるように、毛髪押え部材３を握り手部２内に設けた縦壁２０にすすみ対偶状態に保持させている。
【００２６】
したがって、このヘアーブラシＨＢにおいても上記実施形態１と同様の機能を奏する。
〔実施形態３〕
図９はこの発明の実施形態２のヘアーブラシＨＢの外観斜視図、図１０、図１１は前記ヘアーブラシＨＢの側断面図である。
【００２７】
この実施形態のヘアーブラシＨＢでは、図９〜図１１に示すように、実施形態２と同様にレージートング６１の伸長・縮短により三本の毛髪押え部材３を同時に進退させるものであるが、この実施形態では握り手部２の後端部を握り込むことにより毛髪押え部材３を「前進位置」に移動させ、握り込む力を緩めることにより毛髪押え部材３を「後退位置」に移動させるようにしている。
【００２８】
このため、この実施形態では握り手部２を図１０や図１１に示すように、主体２２とこれとは別体の構成壁２３から構成すると共に前記構成壁２３を主体２２の長手方向中央部で軸２４により揺動自在に支持させ、更に、主体２２の内面に形成したブラケット２５と構成壁２３の内面に形成したブラケット２６相互間に、主体２２の後端部と構成壁２３の後端部相互間を開かしめるべく圧縮コイルバネ６４を設けてある。
【００２９】
ここで、この実施形態では、図１０や図１１に示すように、レージートング６１の後端レバー部をブラケット２５，２６に軸支してあり、圧縮コイルバネ６４の付勢力に抗して主体２２の後端部に対して構成壁２３の後端部を接近させたときにはレージートング６１が図１０の「後退位置」の状態から図１１の「前進位置」の状態に変化するようにしてある。
押え部材３を握り手部２内に設けた縦壁２０にすすみ対偶状態に保持させている。
【００３０】
したがって、このヘアーブラシＨＢにおいても上記実施形態１と同様の機能を奏する。
〔実施形態４〕
図１２はこの発明の実施形態４のヘアーブラシＨＢの外観斜視図である。
【００３１】
この実施形態のヘアーブラシＨＢは、図１２に示すように、握り手部２に設けた収容部２７に一枚の幅広の毛髪押え部材３を進退自在に且つ抜け止め状態に収容させ、前記毛髪押え部材３の挿入側端部に設けた操作用突出部３３を、収容部２７の構成壁に形成したブラシ長手方向に延びる筋状の貫通孔２８から突出させて構成してある。
【００３２】
ここで、毛髪押え部材３は、幅方向全域で毛髪が押さえられるべく図１２に示すように、植毛板１ａの湾曲形状に倣って湾曲させてあり、指による操作用突出部３３への押出し・引込み操作により、「前進位置」「後退位置」に移動させることができるようにしてある。
【００３３】
また、毛髪押え部材３の握り手部２からの抜け止めは、図１２に示すように、操作用突出部３３と貫通孔２８のエンド部構成壁との当接により、毛髪押え部材３の左右に設けた軸部３４と収容部２７のエンド部構成壁との当接により、成されるようにしてある。
【００３４】
なお、この実施形態４では、毛髪押え部材３を動かす移動手段４に相当する構成は操作用突出部３３であり、駆動源は人力である。
【００３５】
したがって、このヘアーブラシＨＢにおいても上記実施形態１とほぼ同等の機能を奏する。
〔実施形態５〕
図１３はこの発明の実施形態５のヘアーブラシＨＢの外観斜視図である。
【００３６】
このヘアーブラシＨＢは、図１３に示すように、断面円形状の握り手部２の外周面にブラシ長手方向に延びる凹み部２９（底部付近のみが幅広部２９ａになっている）を設けると共に、前記凹み部２９に、操作部３５を有した毛髪押え部材３を進退自在に且つ抜け止め状態に収容させて構成してある。
【００３７】
ここで、毛髪押え部材３は、幅方向全域で毛髪が押さえられるべく図１３に示すように、植毛部の円弧形状に倣って湾曲させてあり、指による操作部３５への押出し・引込み操作により、「前進位置」「後退位置」に移動させることができるようにしてある。
【００３８】
また、毛髪押え部材３の握り手部２からの抜け止めは、図１３に示すように、ブラシ長手方向では毛髪押え部材３の左右に設けた軸部３４と凹み部２９のエンド部構成壁との当接により、ブラシ長手直角方向では幅広部２９ａの構成壁と軸部３４と当接により、成されるものとしてある。
【００３９】
なお、この実施形態４では、毛髪押え部材３を動かす移動手段４に相当する構成は操作部３５であり、駆動源は人力である。
【００４０】
したがって、このヘアーブラシＨＢにおいても上記実施形態１と同様の機能を奏する。
〔他の実施形態〕
上記実施形態１〜３では、三本の毛髪押え部材３を有するものとしたが、これに限定されることなく、一本、二本又は四本以上でもよい。
【００４１】
上記実施形態１〜３では、毛髪押え部材３の先端部のみが握り手部２の中空部分からブラシ基台１へ突出したもの（毛髪押え部材３の大部分が中空部分内に収納したもの）であるが、これに限定されることなく、毛髪押え部材３の全体が前記中空部分内に収納されるものでもよい。
【００４２】
上記実施形態１〜３では、ブラシ基台１の先端側部には前進位置にある毛髪押え部材３の先端部が支持される止着部１１を設けてあるが、これに限定されるものではなく、止着部１１を設けていないものでもよい。この場合、拡大径部３０は磁性金属で無くてもよい。上記実施形態４、５では、ブラシ基台１の先端側部に、前進位置にある毛髪押え部材３の先端部が支持される止着部１１を設けるようにしてもよい。上記実施形態１〜５では、止着部１１は磁石に限定されることなく止着できるものであればよい。
【００４３】
上記実施形態１〜５では、毛１０は硬質毛としてあるが、これに限定されることなく硬質毛と毛束（獣毛、樹脂毛）との組み合わせ、或いは毛束でもよい。
【００４４】
上記実施形態１〜３では、毛髪押え部材３は軸状のものとしてあるが、これに限定されることなく剛性を有する幅狭の平板等でもよい。
【００４５】
上記実施形態１〜５は普通のブラシで説明したが、これに限定されることなくドライヤー付きのブラシに本件発明の構成を施してもよい。この場合、片手でドライヤー付きブラシを持った状態では、フリーな他方の手で毛髪押え部材３を進退操作できるので使い勝手がよいものとなる。
【００４６】
【発明の効果】
この発明は上記のような構成であるから次の効果を有する。
【００４７】
上記発明の実施形態の欄の説明から明らかなように、熟練を要することなく綺麗にブローやカール癖付けできるヘアーブラシを提供できた。
【図面の簡単な説明】
【図１】この発明の実施形態１のヘアーブラシの外観斜視図。
【図２】前記ヘアーブラシの部分断面図。
【図３】前記ヘアーブラシにおいて、毛髪押え部材が「後退位置」にあるときの断面図。
【図４】前記ヘアーブラシにおいて、毛髪押え部材３が「前進位置」にあるときの断面図。
【図５】前記ヘアーブラシを使用して毛髪を施術する様子を示す説明図。
【図６】この発明の実施形態２のヘアーブラシの外観斜視図。
【図７】実施形態２のヘアーブラシにおいて、毛髪押え部材が「後退位置」にあるときの断面図。
【図８】実施形態２のヘアーブラシにおいて、毛髪押え部材が「前進位置」にあるときの断面図。
【図９】この発明の実施形態３のヘアーブラシの外観斜視図。
【図１０】実施形態３のヘアーブラシにおいて、毛髪押え部材が「後退位置」にあるときの断面図。
【図１１】実施形態３のヘアーブラシにおいて、毛髪押え部材が「前進位置」にあるときの断面図。
【図１２】実施形態４のヘヤーブラシの斜視図。
【図１３】実施形態５のヘヤーブラシの斜視図。
【符号の説明】
ＨＢ　　　ヘアーブラシ
１　　　　ブラシ基台
２　　　　握り手部
３　　　　毛髪押え部材
４　　　　移動手段
１ａ　　　基板
１０　　　毛
１１　　　止着部
【図１】
2004073716.tif 000003
【図２】
2004073716.tif 000004
【図３】
2004073716.tif 000005
【図４】
2004073716.tif 000006
【図５】
2004073716.tif 000007
【図６】
2004073716.tif 000008
【図７】
2004073716.tif 000009
【図８】
2004073716.tif 000010
【図９】
2004073716.tif 000011
【図１０】
2004073716.tif 000012
【図１１】
2004073716.tif 000013
【図１２】
2004073716.tif 000014
【図１３】
2004073716.tif 000015
【手続補正書】
【提出日】平成14年8月29日(2002.8.29)
【手続補正１】
【補正対象書類名】明細書
【補正対象項目名】全文
【補正方法】変更
【補正の内容】
【発明の詳細な説明】
【特許請求の範囲】
【請求項１】多数の毛１０が立設されたブラシ基台１と、握り手部２とが連設されて成るヘアーブラシであって、握り手部２に、ブラシ長手方向に延びる毛髪押え部材３の全体又は大部分、及びこれをブラシ長手方向に進退させる移動手段４が位置するように設けると共に、移動手段４による毛髪押え部材３の進退域を、上記の如く毛髪押え部材３が握り手部２に位置する「後退位置」と毛髪押え部材３の先端がブラシ基台１上の先端部付近に至る「前進位置」との間とし、毛髪押え部材３の前進位置では、ブラシ基台１上にある毛髪は当該ブラシ基台１と毛髪押え部材３とで挟み込まれることを特徴とするヘアーブラシ。
【請求項２】多数の毛１０が立設されたブラシ基台１と、中空の握り手部２とが連設されて成るヘアーブラシであって、握り手部２の中空部分に、ブラシ長手方向に延びる毛髪押え部材３の全体又は大部分、及びこれをブラシ長手方向に進退させる移動手段４を収容させると共に、移動手段４による毛髪押え部材３の進退域を、上記の如く毛髪押え部材３が握り手部２の中空部分に収容された「後退位置」と毛髪押え部材３の先端がブラシ基台１上の先端部付近に至る「前進位置」との間とし、毛髪押え部材３の前進位置では、ブラシ基台１上にある毛髪は当該ブラシ基台１と毛髪押え部材３とで挟み込まれることを特徴とするヘアーブラシ。
【請求項３】ブラシ基台１における毛髪押え部材３の進路上には、毛１０が立設されていないことを特徴とする請求項１又は２記載のヘアーブラシ。
【請求項４】ブラシ基台１の先端側部には、前進位置にある毛髪押え部材３の先端部が支持される止着部１１を設けてあることを特徴とする請求項１乃至３のいずれかに記載のヘアーブラシ。
【請求項５】毛１０はブラシ基台１に植設されていることを特徴とすることを特徴とする請求項１乃至４のいずれかに記載のヘアーブラシ。
【請求項６】毛髪押え部材３は、一本以上設けられていることを特徴とする請求項１乃至５のいずれかに記載のヘアーブラシ。
【請求項７】毛１０は、硬質毛又は／及び毛束であることを特徴とする請求項１乃至６のいずれかに記載のヘアーブラシ。
【発明の詳細な説明】
【０００１】
【発明の属する技術分野】
この発明は、ヘアーブラシ、特に、熟練を要することなく綺麗にブローやカール癖付けできるヘアーブラシに関するものである。
【０００２】
【従来の技術】
ヘアーブラシを使用して毛髪をカール癖付けする場合、通常、毛が立設されているブラシ基台に毛髪を巻き付け、この状態を維持したままでヘアードライヤーからの温風を吹き付けるようにする。
【０００３】
しかしながら、従来のヘアーブラシでは、上記部分に強く毛髪を巻き付けたとしても、毛髪とブラシ基台及び毛との間で滑りが生じ、徐々に毛髪がブラシ基台から離れてしまうという現象が生じる。
【０００４】
したがって、従来のヘアーブラシでは、かなり慣れないと綺麗にカール癖付けできないという問題があった。
【０００５】
同様に従来のへアーブラシではブローをする場合においてもかなりの慣れが必要である。
【０００６】
近年、男女を問わず、熟練を要することなく綺麗にブローやカール癖付けできるヘアーブラシが開発され、市場に出回ることを待ち望んでいる。
【０００７】
なお、毛が立設されたブラシ基台に握り手部が連設されて成るヘアーブラシにおいて前記握り手部に押え板を揺動自在に取り付け、ブラシ基台上に載せた毛髪に対して押え板を上下に揺動させて挟み込む形式のものが知られているが、このものではヘアーブラシに必要とする毛髪を載せようとするときヘアーブラシの斜め横の上に押え板があるので必要としない毛髪まで押え板にからみ使い勝手が悪く、やはり熟練を要する。
【０００８】
【発明が解決しようとする課題】
そこで、この発明では、熟練を要することなく綺麗にブローやカール癖付けできるヘアーブラシを提供することを課題とする。
【０００９】
【課題を解決するための手段】
（請求項１記載の発明）
この発明は、多数の毛１０が立設されたブラシ基台１と、握り手部２とが連設されて成るヘアーブラシであって、握り手部２に、ブラシ長手方向に延びる毛髪押え部材３の全体又は大部分、及びこれをブラシ長手方向に進退させる移動手段４が位置するように設けると共に、移動手段４による毛髪押え部材３の進退域を、上記の如く毛髪押え部材３が握り手部２に位置する「後退位置」と毛髪押え部材３の先端がブラシ基台１上の先端部付近に至る「前進位置」との間とし、毛髪押え部材３の前進位置では、ブラシ基台１上にある毛髪は当該ブラシ基台１と毛髪押え部材３とで挟み込まれる。
（請求項２記載の発明）
この発明は、多数の毛１０が立設されたブラシ基台１と、中空の握り手部２とが連設されて成るヘアーブラシであって、握り手部２の中空部分に、ブラシ長手方向に延びる毛髪押え部材３の全体又は大部分、及びこれをブラシ長手方向に進退させる移動手段４を収容させると共に、移動手段４による毛髪押え部材３の進退域を、上記の如く毛髪押え部材３が握り手部２の中空部分に収容された「後退位置」と毛髪押え部材３の先端がブラシ基台１上の先端部付近に至る「前進位置」との間とし、毛髪押え部材３の前進位置では、ブラシ基台１上にある毛髪は当該ブラシ基台１と毛髪押え部材３とで挟み込まれる。
（請求項３記載の発明）
この発明は、上記請求項１又は２記載の発明に関し、ブラシ基台１における毛髪押え部材３の進路上には、毛１０が立設されていないものとしてある。
（請求項４記載の発明）
この発明は、上記請求項１乃至３のいずれかに記載の発明に関して、ブラシ基台１の先端側部には、前進位置にある毛髪押え部材３の先端部が支持される止着部１１を設けてある。
（請求項５記載の発明）
この発明は、上記請求項１乃至４のいずれかに記載の発明に関し、毛１０はブラシ基台１に植設されている。
（請求項６記載の発明）
この発明は、上記請求項１乃至５のいずれかに記載の発明に関し、毛髪押え部材３は、一本以上設けられている。
（請求項７記載の発明）
この発明は、上記請求項１乃至６のいずれかに記載の発明に関し、毛１０は、硬質毛又は／及び毛束である。
【００１０】
なお、上記ヘアーブラシの機能については、以下の発明の実施の形態の欄で明らかにする。
【００１１】
【発明の実施の形態】
以下、この発明を実施例として示した図面に従って説明する。
〔実施形態１〕
図１はこの発明の実施形態のヘアーブラシＨＢの外観斜視図、図２は前記ヘアーブラシＨＢの部分断面図、図３及び図４は前記ヘアーブラシＨＢの側断面図である。
【００１２】
この実施形態のヘアーブラシＨＢは、図１や図３に示すように、多数の毛１０を有するブラシ基台１と、中空の握り手部２とが連設されて成る。
【００１３】
ブラシ基台１は、図１に示すように、緩やかな断面円弧状に形成された基板１ａの膨らみ面に多数の硬質の毛１０を立設してあり、前記毛１０はブラシ長手方向に延びる態様で幅方向に４列で配置してある。よって、このヘアーブラシＨＢでは、ブラシ長手方向に延びる三本の隙間部１２から成る通路が形成されている。
【００１４】
また、このブラシ基台１の先端側部には、図１や図４に示すように、磁石によって形成された止着部１１を設けてある。
【００１５】
握り手部２は、図３や図４に示すように全体が中空に形成されており、その中空部分には、ブラシ長手方向に延びる三本の毛髪押え部材３の大部分、及びこれを前記長さ方向に進退させる移動手段４を収容してある。なお、移動手段４による毛髪押え部材３の進退域は、図３や図４に示すように、上記の如く毛髪押え部材３が握り手部２の中空部分に収容された「後退位置」と毛髪押え部材３の先端がブラシ基台１上の先端部付近に至る「前進位置」との間としてある。
【００１６】
毛髪押え部材３は、図３や図４に示すように、最大径から最小径まで４本のパイプ３ａ，３ｂ，３ｃ，３ｄを嵌め込むと共に前記最小径のパイプ３ｄに磁性金属から成る拡大径部３０を有した軸部３１を嵌め込んだ状態とし、前記パイプ３ａ，３ｂ，３ｃ，３ｄ相互及びパイプ３ｄと軸部３１相互をそれぞれ相対移動可能に且つ抜け止め状態にして構成してある（伸び縮みするアンテナのような構成）。なお、三本の毛髪押え部材３は、図２に示すように上記した三本の隙間部１２で形成される通路を移動するように、毛髪押え部材３の先端は隙間部１２と対向させてある。
【００１７】
移動手段４は、図２〜図４に示すように、公知の回転−直進変換モータ４０（一般的なモータでは出力軸が回転するが、この回転−直進変換モータ４０では出力軸４１は直進する）と、前記回転−直進変換モータ４０の駆動源となる乾電池４２と、出力軸４１の後端に取り付けられた板材４３を介して当該出力軸４１と同時に進退する二本の軸体４４とから構成されている。なお、このヘアーブラシＨＢでは握り手部２におけるブラシ基台１の連設付近には回転−直進変換モータ４０及び乾電池４２と電気的接続状態にある切り換え用のスイッチ５が配置されており、前記スイッチ５における前部を押すと出力軸４１が前進、後部を押すと出力軸４１が後退、押し込み力を除くと出力軸４１が停止するように回転−直進変換モータ４０が駆動・停止するようになっている。
【００１８】
ここで、図には示されていないが、三本の毛髪押え部材３の最大径のパイプ３ａは全て握り手部２の構成壁に対して動かないように固定されており、また、中央部の軸部３１の後端と出力軸４１の前端、及び左右の軸部３１の後端と二本の軸体４４の前端とは、それぞれ連結されている。
【００１９】
したがって、スイッチ５の前部を押すと出力軸４１及び二本の軸体４４は前進し、これに伴い三本の毛髪押え部材３は図４に示す如く伸長してその先端部である拡大径部３０は上記した「前進位置」に至って止着部１１に磁着支持される。また、スイッチ５の後部を押すと出力軸４１及び二本の軸体４４は後退し、これに伴い三本の毛髪押え部材３は図３に示す如く縮短して拡大径部３０は上記した「後退位置」に至る。そして、スイッチ５の押し込み力を除くと、三本の毛髪押え部材３は停止状態になる。
【００２０】
上記したヘアーブラシＨＢを使用して所望のヘアースタイルを施術する場合、以下の要領で行う。
Ａ．カール癖付けする場合
▲１▼．毛髪を毛１０でとくようにして毛髪の根元側を基板１ａに載せてヘアーブラシＨＢを毛髪の中間部に移動させる（図５参照）。
▲２▼．前記状態を維持しながら、スイッチ５の前部を押して三本の毛髪押え部材３を「前進位置」に移動させ、毛髪押え部材３とブラシ基台１を構成する基板１ａにより毛髪を挟み込む。
▲３▼．ヘアーブラシＨＢをこれの長手方向を軸心としてカールを作りたいところまでブラシを移動して回転させ、ブラシ基台１に毛髪を巻き付けていく。この作業において、毛髪は毛髪押え部材３とブラシ基台１を構成する基板１ａにより滑ることなくしっかりと保持されているから、毛髪がヘアーブラシＨＢに対してほとんど滑らず、毛髪がブラシ基台１を構成する基板１ａから浮き上がるようことはほとんどない。
▲４▼．この状態を維持しながら、ドライヤーからの温風を吹き付ける。
▲５▼．スイッチ５の後部を押して三本の毛髪押え部材３を「後退位置」に移動させる。この状態では、毛髪は、毛髪押え部材３と基板１ａにより挟み込まれていないので、ヘアーブラシＨＢは毛髪から簡単に外れる。
Ｂ．ブローする場合
▲１▼．毛髪を毛１０でとくようにして毛髪の根元側を基板１ａに載せる。
▲２▼．スイッチ５の前部を押して三本の毛髪押え部材３を「前進位置」に移動させ、毛髪押え部材３と基板１ａにより毛髪の根元側を挟み込ませる（図５参照）。▲３▼．ヘアーブラシＨＢで毛髪を引っ張るようにして毛先側へ移動させながらドライヤーの温風を吹き付ける。この作業では、毛髪は、毛髪押え部材３とブラシ基台１を構成する基板１ａにより挟み込まれて滑りにくくなっているので、強いテンションが毛髪にかかり容易にブローできる。
▲４▼．毛髪押え部材３と基板１ａの間から毛髪の先端部が抜けると、スイッチ５の後部を押して三本の毛髪押え部材３を「後退位置」に移動させる。
Ｃ．ブローやカール癖付けするときの基本的な効果
上述したように、このヘアーブラシＨＢを使用した場合、従来の技術の欄で記載したような現象、つまり毛髪が基板１ａから離れてしまうという現象が生じないので、熟練を要することなく綺麗にブローやカール癖付けができる。
【００２１】
また、このヘアーブラシＨＢでは、毛髪押え部材３を基板１ａに対して平行に伸長（実施形態２、３では移動）させ、その先端部を「前進位置」に至らしめてているから、従来の技術の欄の後半部分に記載したヘアーブラシのような使い勝手の悪さは存在しない。
〔実施形態２〕
図６はこの発明の実施形態２のヘアーブラシＨＢの外観斜視図、図７、図８は前記ヘアーブラシＨＢの側断面図である。
【００２２】
この実施形態のヘアーブラシＨＢでは、図６〜図８に示すように、スライド操作部６の前方・後方への操作によりレバー６０を介して握り手部２内のブラケット２１に軸支されたレージートング６１を伸長・縮短させ、当該レージートング６１の先端部に取り付けられた三本の毛髪押え部材３を同時に図８に示すように「前進位置」に移動させ、又は図７に示すように「後退位置」に移動させるようにしている。
【００２３】
ここで、この実施形態の毛髪押え部材３は上記実施形態１とは相違し、伸縮しない１本の棒体であり、その先端部に磁性金属から成る拡大径部３０を設けたものとしてある。
【００２４】
また、このヘアーブラシＨＢにおいて、実施形態１の毛髪押え部材３を動かす移動手段４に相当する構成は、スライド操作部６、レバー６０及びレージートング６１であり、駆動源は人力である。
【００２５】
さらに、レージートング６１の自重による垂れ下がりがあったとしても、毛髪押え部材３の移動軌跡ができるだけ一定となるように、毛髪押え部材３を握り手部２内に設けた縦壁２０にすすみ対偶状態に保持させている。
【００２６】
したがって、このヘアーブラシＨＢにおいても上記実施形態１と同様の機能を奏する。
〔実施形態３〕
図９はこの発明の実施形態２のヘアーブラシＨＢの外観斜視図、図１０、図１１は前記ヘアーブラシＨＢの側断面図である。
【００２７】
この実施形態のヘアーブラシＨＢでは、図９〜図１１に示すように、実施形態２と同様にレージートング６１の伸長・縮短により三本の毛髪押え部材３を同時に進退させるものであるが、この実施形態では握り手部２の後端部を握り込むことにより毛髪押え部材３を「前進位置」に移動させ、握り込む力を緩めることにより毛髪押え部材３を「後退位置」に移動させるようにしている。
【００２８】
このため、この実施形態では握り手部２を図１０や図１１に示すように、主体２２とこれとは別体の構成壁２３から構成すると共に前記構成壁２３を主体２２の長手方向中央部で軸２４により揺動自在に支持させ、更に、主体２２の内面に形成したブラケット２５と構成壁２３の内面に形成したブラケット２６相互間に、主体２２の後端部と構成壁２３の後端部相互間を開かしめるべく圧縮コイルバネ６４を設けてある。
【００２９】
ここで、この実施形態では、図１０や図１１に示すように、レージートング６１の後端レバー部をブラケット２５，２６に軸支してあり、圧縮コイルバネ６４の付勢力に抗して主体２２の後端部に対して構成壁２３の後端部を接近させたときにはレージートング６１が図１０の「後退位置」の状態から図１１の「前進位置」の状態に変化するようにしてある。
押え部材３を握り手部２内に設けた縦壁２０にすすみ対偶状態に保持させている。
【００３０】
したがって、このヘアーブラシＨＢにおいても上記実施形態１と同様の機能を奏する。
〔実施形態４〕
図１２はこの発明の実施形態４のヘアーブラシＨＢの外観斜視図である。
【００３１】
この実施形態のヘアーブラシＨＢは、図１２に示すように、握り手部２に設けた収容部２７に一枚の幅広の毛髪押え部材３を進退自在に且つ抜け止め状態に収容させ、前記毛髪押え部材３の挿入側端部に設けた操作用突出部３３を、収容部２７の構成壁に形成したブラシ長手方向に延びる筋状の貫通孔２８から突出させて構成してある。
【００３２】
ここで、毛髪押え部材３は、幅方向全域で毛髪が押さえられるべく図１２に示すように、植毛板１ａの湾曲形状に倣って湾曲させてあり、指による操作用突出部３３への押出し・引込み操作により、「前進位置」「後退位置」に移動させることができるようにしてある。
【００３３】
また、毛髪押え部材３の握り手部２からの抜け止めは、図１２に示すように、操作用突出部３３と貫通孔２８のエンド部構成壁との当接により、毛髪押え部材３の左右に設けた軸部３４と収容部２７のエンド部構成壁との当接により、成されるようにしてある。
【００３４】
なお、この実施形態４では、毛髪押え部材３を動かす移動手段４に相当する構成は操作用突出部３３であり、駆動源は人力である。
【００３５】
したがって、このヘアーブラシＨＢにおいても上記実施形態１とほぼ同等の機能を奏する。
〔実施形態５〕
図１３はこの発明の実施形態５のヘアーブラシＨＢの外観斜視図である。
【００３６】
このヘアーブラシＨＢは、図１３に示すように、断面円形状の握り手部２の外周面にブラシ長手方向に延びる凹み部２９（底部付近のみが幅広部２９ａになっている）を設けると共に、前記凹み部２９に、操作部３５を有した毛髪押え部材３を進退自在に且つ抜け止め状態に収容させて構成してある。
【００３７】
ここで、毛髪押え部材３は、幅方向全域で毛髪が押さえられるべく図１３に示すように、植毛部の円弧形状に倣って湾曲させてあり、指による操作部３５への押出し・引込み操作により、「前進位置」「後退位置」に移動させることができるようにしてある。
【００３８】
また、毛髪押え部材３の握り手部２からの抜け止めは、図１３に示すように、ブラシ長手方向では毛髪押え部材３の左右に設けた軸部３４と凹み部２９のエンド部構成壁との当接により、ブラシ長手直角方向では幅広部２９ａの構成壁と軸部３４と当接により、成されるものとしてある。
【００３９】
なお、この実施形態５では、毛髪押え部材３を動かす移動手段４に相当する構成は操作部３５であり、駆動源は人力である。
【００４０】
したがって、このヘアーブラシＨＢにおいても上記実施形態１と同様の機能を奏する。
〔他の実施形態〕
上記実施形態１〜３では、三本の毛髪押え部材３を有するものとしたが、これに限定されることなく、一本、二本又は四本以上でもよい。
【００４１】
上記実施形態１〜３では、毛髪押え部材３の先端部のみが握り手部２の中空部分からブラシ基台１へ突出したもの（毛髪押え部材３の大部分が中空部分内に収納したもの）であるが、これに限定されることなく、毛髪押え部材３の全体が前記中空部分内に収納されるものでもよい。
【００４２】
上記実施形態１〜３では、ブラシ基台１の先端側部には前進位置にある毛髪押え部材３の先端部が支持される止着部１１を設けてあるが、これに限定されるものではなく、止着部１１を設けていないものでもよい。この場合、拡大径部３０は磁性金属で無くてもよい。上記実施形態４、５では、ブラシ基台１の先端側部に、前進位置にある毛髪押え部材３の先端部が支持される止着部１１を設けるようにしてもよい。上記実施形態１〜５では、止着部１１は磁石に限定されることなく止着できるものであればよい。
【００４３】
上記実施形態１〜５では、毛１０は硬質毛としてあるが、これに限定されることなく硬質毛と毛束（獣毛、樹脂毛）との組み合わせ、或いは毛束でもよい。
【００４４】
上記実施形態１〜３では、毛髪押え部材３は軸状のものとしてあるが、これに限定されることなく剛性を有する幅狭の平板等でもよい。
【００４５】
上記実施形態１〜５は普通のブラシで説明したが、これに限定されることなくドライヤー付きのブラシに本件発明の構成を施してもよい。この場合、片手でドライヤー付きブラシを持った状態では、フリーな他方の手で毛髪押え部材３を進退操作できるので使い勝手がよいものとなる。
【００４６】
【発明の効果】
この発明は上記のような構成であるから次の効果を有する。
【００４７】
上記発明の実施形態の欄の説明から明らかなように、熟練を要することなく綺麗にブローやカール癖付けできるヘアーブラシを提供できた。
【図面の簡単な説明】
【図１】この発明の実施形態１のヘアーブラシの外観斜視図。
【図２】前記ヘアーブラシの部分断面図。
【図３】前記ヘアーブラシにおいて、毛髪押え部材が「後退位置」にあるときの断面図。
【図４】前記ヘアーブラシにおいて、毛髪押え部材３が「前進位置」にあるときの断面図。
【図５】前記ヘアーブラシを使用して毛髪を施術する様子を示す説明図。
【図６】この発明の実施形態２のヘアーブラシの外観斜視図。
【図７】実施形態２のヘアーブラシにおいて、毛髪押え部材が「後退位置」にあるときの断面図。
【図８】実施形態２のヘアーブラシにおいて、毛髪押え部材が「前進位置」にあるときの断面図。
【図９】この発明の実施形態３のヘアーブラシの外観斜視図。
【図１０】実施形態３のヘアーブラシにおいて、毛髪押え部材が「後退位置」にあるときの断面図。
【図１１】実施形態３のヘアーブラシにおいて、毛髪押え部材が「前進位置」にあるときの断面図。
【図１２】実施形態４のヘアーブラシの斜視図。
【図１３】実施形態５のヘアーブラシの斜視図。
【符号の説明】
ＨＢ　　　ヘアーブラシ
１　　　　ブラシ基台
２　　　　握り手部
３　　　　毛髪押え部材
４　　　　移動手段
１ａ　　　基板
１０　　　毛
１１　　　止着部